(57)【特許請求の範囲】
【請求項１】
上面上に設けられた読取位置において原稿を読み取る原稿読取装置本体と、
前記原稿読取装置本体の上面部分に備えられ、上面上に前記読取位置を設け、帯電可能なコンタクトガラスと、
前記原稿読取装置本体の一端縁に枢着され、前記コンタクトガラスに当接する当接位置と前記コンタクトガラスから離隔する離隔位置の間を該一端縁の枢着軸のまわりに回転して移動可能な圧板と、
原稿を前記コンタクトガラスの上面上の前記読取位置に載置するとき前記コンタクトガラスを帯電する帯電手段と、を備え、
前記コンタクトガラスの上面上に長方形により指定された前記読取位置を設け、前記帯電手段が、前記長方形の１角から該１角に向い合う対角に向って前記長方形の前記コンタクトガラスの帯電した部分に相当する面積が時間とともに増加するよう前記コンタクトガラスを帯電することを特徴とする原稿読取装置。
【発明の詳細な説明】
【０００１】
【発明の属する技術分野】
本発明は、複写機、ファクシミリ装置、複合機およびＯＨＰ等に装着された画像読取装置に関する。
【０００２】
【従来の技術】
従来から複写機、ファクシミリ装置、複合機およびＯＨＰ等に装着された画像読取装置にあっては、コンタクトガラスを備えた装置本体の上面部分を圧板の枢着軸方向に平行に延在し原稿を挟み込み可能な１対のスライドガイドにより該原稿を読取位置に保持するものがあり、このような画像読取装置としては、特開平６−１４１５１号公報に記載されたようなものが知られている。
【０００３】
このものは、原稿を載置するためのコンタクトガラス上の原稿サイズに応じた所定の読取位置に載置された原稿を、一端縁が装置本体の上面の端縁に枢着された圧板により押圧して原稿を読み取る原稿読取装置において、前記コンタクトガラス上を前記圧板の枢着軸方向に平行に延在し、該延在方向に対して直角な方向に移動可能に設けられた１対のスライドガイドを備えるものである。この原稿読取装置においては、読み取られる原稿を前記コンタクトガラス上に載置し前記１対のスライドガイドにより該原稿を挟み込むようにして前記コンタクトガラス上に保持する。
【０００４】
【発明が解決しようとする課題】
しかしながら、このような従来の画像読取装置においては、薄紙でカールしている感熱紙等の原稿の読み取りを行なう場合、前記圧板を前記コンタクトガラスから離隔する離隔位置から前記コンタクトガラスに当接する当接位置に移動させると、前記原稿が前記コンタクトガラス上の前記読取位置からずれたり、折れ曲ってしまうという第１の課題があった。そこで本発明は、上記第１の課題を解決して、前記圧板を前記離隔位置から前記当接位置に移動させることにより原稿が前記読取位置からずれたり折れ曲ってしまうことがなく、前記コンタクトガラス上の正しい読取位置に原稿を保持することを第１の目的とする。
【０００５】
また、上記第１の課題は読み取られる原稿が薄紙であるときに発生しやすく、読み取られる原稿の厚さに応じて経済的に第１の課題を解決する必要があった。そこでこの第２の課題を解決して、前記コンタクトガラス上の正しい読取位置に原稿を保持することを経済的に行なうことを第２の目的とする。
さらに、原稿が薄紙であるときには径の小さなカールが発生しやすく、この小さなカールを除去して正しい読取位置に原稿を保持する必要があった。そこでこの第３の課題を解決して、径の小さなカールを取り除き、より正しい読取位置に原稿を保持することを第３の目的とする。
【０００６】
一角に原稿の読取位置の基準点が設けられている原稿載置用のコンタクトガラスを備えた原稿読取装置においては、原稿の投影面積の拡大量が予想しにくく位置あわせが難しいという第４の課題があった。また、原稿の縦横両方向にカールが生じている場合は原稿を正しい読取位置にセットすることが難しいという第５の課題もあった。そこでこれら第４および第５の課題を解決して、原稿の縦横両方向にカールが生じている場合でもカールを取り除き、より正しい読取位置に前記原稿を保持することを第４の目的とする。
【０００７】
原稿が原稿読取装置本体により読み取られた後、原稿を前記コンタクトガラス上の読取位置から脱離しやすくすることを第５の目的とする。
原稿を正しい読取位置に保持して読み取る原稿読取装置の構成を簡単にし、原稿を正しい読取位置に保持して読み取らせる作業を簡単に行なうことを第６の目的とする。
【０００８】
【課題を解決するための手段】
請求項１記載の発明は、上記第１の課題を解決するために、上面上に設けられた読取位置において原稿を読み取る原稿読取装置本体と、前記原稿読取装置本体の上面部分に備えられ、上面上に前記読取位置を設け、帯電可能なコンタクトガラスと、前記原稿読取装置本体の一端縁に枢着され、前記コンタクトガラスに当接する当接位置と前記コンタクトガラスから離隔する離隔位置の間を該一端縁の枢着軸のまわりに回転して移動可能な圧板と、原稿を前記コンタクトガラスの上面上の前記読取位置に載置するとき前記コンタクトガラスを帯電する帯電手段と、を備え、前記コンタクトガラスの上面上に長方形により指定された前記読取位置を設け、前記帯電手段が、前記長方形の１角から該１角に向い合う対角に向って前記長方形の前記コンタクトガラスの帯電した部分に相当する面積が時間とともに増加するよう前記コンタクトガラスを帯電することを特徴とするものである。
【００１３】
【発明の実施の形態】
以下、本発明の実施例を図面に基づいて説明する。図１〜図５は本発明に係る原稿読取装置の一実施例を示す図、図６は一実施例の原稿読取装置による原稿の読み取り作業の流れを示す図、並びに図７は一実施例の原稿読取装置の一部のブロック図である。
【００１４】
まず、構成を説明する。
図１は、本発明に係る原稿読取装置の一実施例の概略図である。図１に示された原稿読取装置において、１は原稿読取装置であり、原稿読取装置１は、上面上に設けられた読取位置において原稿を読み取る原稿読取装置本体２と、帯電可能なコンタクトガラス３と、圧板４と、図示されない帯電手段と、を備えている。コンタクトガラス３は、原稿読取装置本体２の上面部分に備えられ、上面上に前記読取位置を設けている。圧板４は、原稿読取装置本体２の一端縁に枢着され、コンタクトガラス３に当接する当接位置とコンタクトガラス３から離隔する離隔位置の間を該一端縁の枢着軸のまわりに回転して移動可能に設けられている。帯電手段は、原稿をコンタクトガラス３の上面上の前記読取位置に載置するとき、コンタクトガラス３を帯電するよう設けられており、一実施例として図７に示されたものと同様に構成されるものがある。また、５は原稿読み取り動作の各種設定を行なう部材であるオペレーションパネルである。オペレーションパネル５は、液晶およびＬＣＤ等により構成された表示部を有し、操作者により設定される各種設定を表示する。また、６は原稿読取装置本体２により読み取られる原稿である。７は圧板開閉検知センサであり、圧板４が前記当接位置にあるときオンされ、圧板４が前記離隔位置にあるときオフされて、圧板４の開閉状態を検知する。なお、図１に示されているように圧板４が前記離隔位置にあるときには通常、原稿読取装置本体２により原稿６が読み取られることはない。
【００１５】
図２は、一実施例の原稿読取装置の装置本体の側面図である。図２に示された原稿読取装置において、１１は原稿読取装置であり、原稿読取装置１１は、上面上に設けられた読取位置において原稿を読み取る原稿読取装置本体１２と、帯電可能なコンタクトガラス１３と、図示されない圧板および帯電制御手段と、を備えている。１４は原稿読取装置本体１２により読み取られる原稿である。コンタクトガラス１３は、原稿読取装置本体１２の上面部分に備えられ、上面上に前記読取位置を設けている。図２（ａ）はコンタクトガラス１３が帯電制御手段により帯電される前に原稿を載置させた一実施例の原稿読取装置本体の側面図であり、図２（ｂ）はコンタクトガラス１３が帯電制御手段により帯電された後に原稿を載置させた一実施例の原稿読取装置本体の側面図である。圧板は、図１に示されたものと同様に構成されるものであり、原稿読取装置本体１２の一端縁に枢着され、コンタクトガラス１３に当接する当接位置とコンタクトガラス１３から離隔する離隔位置の間を該一端縁の枢着軸のまわりに回転して移動可能に設けられている。帯電制御手段は、オンされることにより信号を発生させるスイッチ部材と、前記スイッチ部材により発生させられた信号によりコンタクトガラス１３を帯電させる帯電駆動部材とから構成されている。スイッチ部材は操作者の操作によりオンされるものであり、一実施例として図１に示されるものと同様に構成されたオペレーションパネルの一部に設けられたものがある。
【００１６】
図３は、一実施例の原稿読取装置のコンタクトガラスの上面図である。図３（ａ）〜図３（ｄ）には帯電したコンタクトガラスの上面が帯電開始後の時間順に示されている。図３に示されたものにおいて、２３は原稿読取装置のコンタクトガラスであり、コンタクトガラス２３は上面上に長方形により指定された前記読取位置を設けている。２３ａは前記長方形のコンタクトガラス２３の帯電した部分に相当する面（以下、帯電面という）である。２３ｂは前記読取位置の読取基準線である。図３に示された原稿読取装置は図１に示されたものと同様に構成された帯電手段を備えている。
【００１７】
図４は、一実施例の原稿読取装置のコンタクトガラスの上面図である。図４（ａ）〜図４（ｄ）には帯電したコンタクトガラスの上面が帯電開始後の時間順に示されている。図４に示されたものにおいて、３３は原稿読取装置のコンタクトガラスであり、コンタクトガラス３３は上面上に長方形により指定された前記読取位置を設けている。３３ａは前記長方形のコンタクトガラス３３の帯電面である。３３ｂは前記読取位置の読取基準線である。図４に示された原稿読取装置は図１に示されたものと同様に構成された帯電手段を備えている。
【００１８】
図５は、一実施例の原稿読取装置の概略図である。図５（ａ）〜図５（ｆ）には原稿読取装置による原稿の読み取り作業が作業順に示されている。一実施例の原稿読取装置による原稿の読み取り作業の工程の流れが図６に示されている。図５（ａ）〜図５（ｆ）それぞれを図６の各工程に対応させると、図５（ａ）は原稿セットの工程を、図５（ｂ）は圧板下降の工程を、図５（ｃ）は圧板固定の工程を、図５（ｄ）は原稿読み取りの工程を、図５（ｅ）はコンタクトガラス帯電終了の工程を、および図５（ｆ）は原稿除去の工程を表す図であるということになる。
【００１９】
図５に示された原稿読取装置において、４１は原稿読取装置であり、原稿読取装置４１は、上面上に設けられた読取位置において原稿を読み取る原稿読取装置本体４２と、帯電可能なコンタクトガラス４３と、圧板４４と、圧板開閉検知スイッチ部材４５と、図示されない帯除電手段と、を備えている。コンタクトガラス４３は、原稿読取装置本体４２の上面部分に備えられ、上面上に前記読取位置を設けている。圧板４４は、原稿読取装置本体４２の一端縁に枢着され、コンタクトガラス４３に当接する当接位置とコンタクトガラス４３から離隔する離隔位置の間を該一端縁の枢着軸のまわりに回転して移動可能に設けられている。圧板開閉検知スイッチ部材４５は、圧板４４が前記当接位置にあるときオンされ、圧板４４が前記離隔位置にあるときオフされるよう設けられている。圧板開閉検知スイッチ部材４５は、図５に示された実施例においては弾性部材から構成される圧板開閉検知センサ４５ａから構成されており、圧板開閉検知センサ４５ａは、原稿読取装置本体４１の上面部分に設けられ、オフされるよう弾性的に付勢されている。帯除電手段は、圧板開閉検知スイッチ部材４５がオンされるときコンタクトガラス４３を帯電し、圧板開閉検知スイッチ部材４５がオフされるときコンタクトガラス４３を除電するよう設けられており、一実施例として図７に示される帯電ドライバおよびコンタクトガラス帯電ユニットと同様に構成されたものがある。また、４６は原稿読取装置本体４２により読み取られる原稿である。
【００２０】
図７は一実施例の原稿読取装置の一部のブロック図であり、図７に示された原稿読取装置において、５１は原稿読取装置であり、原稿読取装置５１は、ＣＰＵ５２と、ＲＯＭ５３と、ＲＡＭ５４と、ＰＳＵ５５と、オペレーションパネル５６と、帯電ドライバ５７と、コンタクトガラス帯電ユニット５８と、圧板開閉検知センサ５９と、図示されない原稿読取装置本体、コンタクトガラス、圧板を備えており、図示された各構成要素はバス６０に接続されている。オペレーションパネル５６は、操作者により原稿の読み取り動作の各種設定が行なわれる部材である。帯電ドライバ５７およびコンタクトガラス帯電ユニット５８は協働して圧板開閉検知センサ５９がオンされるときコンタクトガラスを帯電させ、圧板開閉検知センサ５９がオフされるときコンタクトガラスを除電させるよう設けられている。圧板開閉検知センサ５９は、圧板がコンタクトガラスに当接する当接位置にあるときオンされ、圧板がコンタクトガラスから離隔する離隔位置にあるときオフされるよう設けられている。
【００２１】
次に、作用を説明する。
図１に示された原稿読取装置１において、操作者の操作により原稿６を前記読取位置に載置し圧板４を前記離隔位置から前記当接位置に原稿読取装置本体２の一端縁の枢着軸のまわりに回転して移動させ、前記帯電手段によりコンタクトガラス３を帯電させて、原稿６を前記読取位置に保持する。このため、圧板４を前記離隔位置から前記当接位置に移動させることにより原稿６が前記読取位置からずれたり折れ曲ってしまうことがなく、コンタクトガラス３上の正しい読取位置に原稿６を保持することができる。また前記帯電手段が、原稿読取装置本体２による原稿６の読み取りが終了したときコンタクトガラス３を除電するよう設けられることにより、原稿６が原稿読取装置本体２により読み取られた後、原稿６をコンタクトガラス３上の読取位置から脱離しやすくすることができる。
【００２２】
図２に示された原稿読取装置１１において、読み取られる原稿１４が薄紙であるとき（図６に示された薄紙モードのとき）は、操作者の操作により前記帯電制御手段のスイッチ部材をオンし、前記帯電制御手段の帯電駆動部材によりコンタクトガラス１３を帯電させ、次いで図２（ａ）に示されるように操作者が原稿１４をコンタクトガラス１３の上面上の前記読取位置に載置して、図２（ｂ）に示されるように原稿１４を帯電したコンタクトガラスと原稿１４の間に働く静電気力によりコンタクトガラス１３の上面に密着させ、コンタクトガラス１３の上面上の前記読取位置に原稿１４を保持する。このため、原稿１４が載置される位置が前記読取位置からずれたり、原稿１４が折れたりするのを防ぐことができる。
【００２３】
読み取られる原稿１４が薄紙以外の紙であるとき（図６に示された通常モードのとき）は、図２（ａ）に示されるように操作者が原稿１４をコンタクトガラス１３の上面上の前記読取位置に載置し、操作者が前記圧板を前記離隔位置から前記当接位置に原稿読取装置本体１２の一端縁の枢着軸のまわりに回転して移動させることにより前記圧板をコンタクトガラス１３に当接させ、コンタクトガラス１３の上面上の前記読取位置に原稿１４を保持する。このため、操作者が原稿１４の厚さに応じて帯電制御手段１７を使用することにより、無駄な電力を消費せずにコンタクトガラス１３の上面上の正しい読取位置に原稿１４を保持することを経済的に行なうことができる。
【００２４】
図３に示された原稿読取装置において、前記帯電手段が、前記読取位置を表す長方形の一辺から該一辺に向い合う対辺に向って帯電面２３ａの面積が時間とともに増加するようコンタクトガラス２３を帯電することにより、コンタクトガラス２３の帯電が前記読取位置の読取基準線２３ｂから開始され、図３（ａ）〜図３（ｄ）に示されるように帯電面２３ａの面積が増加する一方向に段階的に進行するので、径の小さなカールを一方向に逃して取り除くことができてカールの除去能力に優れ、より正しい読取位置に原稿を保持することができる。
【００２５】
図４に示された原稿読取装置において、前記帯電手段が、前記読取位置を表す長方形の一角から該一角に向い合う対角に向って帯電面３３ａの面積が時間とともに増加するようコンタクトガラス３３を帯電することにより、コンタクトガラス３３の帯電が前記読取位置の読取基準点３３ｂから開始され、図４（ａ）〜図４（ｄ）に示されるように帯電面３３ａの面積が増加する方向に段階的に進行するので、読み取られる原稿の縦横両方向にカールが生じている場合でもカールを二方向に逃してカールを取り除くことができてカールの除去能力に優れ、正しい読取位置に前記原稿を保持することができる。
【００２６】
図５に示された原稿読取装置４１において、操作者の操作により読み取られる原稿４６を前記読取位置に載置し（図５（ａ）参照）、圧板４４を前記離隔位置から前記当接位置に原稿読取装置本体４２の該一端縁の枢着軸のまわりに回転して移動させることにより圧板４４を圧板開閉検知センサ４５ａに当接させ（図５（ｂ）参照）、圧板４４により圧板開閉検知スイッチ部材である圧板開閉検知センサ４５ａを押下してオンし（図５（ｃ）参照）、前記帯除電手段によりコンタクトガラス４３を帯電させて原稿４６を前記読取位置に保持するとともに（図５（ｄ）参照）、圧板４４を前記当接位置から前記離隔位置に原稿読取装置本体４２の該一端縁の枢着軸のまわりに回転して移動させることにより圧板４４を圧板開閉検知センサ４５ａから離隔させて圧板開閉検知センサ４５ａをオフし、前記帯除電手段によりコンタクトガラス４３を除電させて（図５（ｅ）参照）原稿４６を前記読取位置から脱離可能（図５（ｆ）参照）にする。このため、原稿４６を正しい読取位置に保持して読み取るための構成を簡単にすることができ、原稿４６を正しい読取位置に保持して読み取らせる作業を簡単に行なうことができる。
また、前記帯除電手段が原稿読取装置本体４２による原稿４６の読み取りが終了したときコンタクトガラス４３を除電するよう設けられることにより、原稿４６が原稿読取装置本体４２により読み取られた後、原稿４６をコンタクトガラス４３上の読取位置から脱離しやすくすることができる。
【００２７】
【発明の効果】
請求項１記載の発明によれば、操作者の操作により原稿を前記読取位置に載置し前記圧板を前記離隔位置から前記当接位置に前記原稿読取装置本体の一端縁の枢着軸のまわりに回転して移動させ、前記帯電手段により前記コンタクトガラスを帯電させて前記原稿を前記読取位置に保持するため、前記圧板を前記離隔位置から前記当接位置に移動させることにより原稿が前記読取位置からずれたり折れ曲ってしまうことがなく、前記コンタクトガラス上の正しい読取位置に原稿を保持することができる。また、前記帯電手段が、前記読取位置を表す長方形の一角から該一角に向い合う対角に向って前記長方形の前記コンタクトガラスの帯電した部分に相当する面積が時間とともに増加するよう前記コンタクトガラスを帯電することにより、読み取られる原稿の縦横両方向にカールが生じている場合でもカールを二方向に逃してカールを取り除くことができてカールの除去能力に優れ、正しい読取位置に原稿を保持することができる。
【図面の簡単な説明】
【図１】本発明に係る原稿読取装置の一実施例の概略図
【図２】一実施例の原稿読取装置の装置本体の側面図
【図３】一実施例の原稿読取装置のコンタクトガラスの上面図
【図４】一実施例の原稿読取装置のコンタクトガラスの上面図
【図５】一実施例の原稿読取装置の側面図
【図６】一実施例の原稿読取装置による原稿の読み取り作業の工程の流れを示す図
【図７】一実施例の原稿読取装置の一部のブロック図
【符号の説明】
１      原稿読取装置
２      原稿読取装置本体
３      コンタクトガラス
４      圧板
１１    原稿読取装置
１２    原稿読取装置本体
１３    コンタクトガラス
１４    圧板
２３    コンタクトガラス
３３    コンタクトガラス
４１    原稿読取装置
４２    原稿読取装置本体
４３    コンタクトガラス
４４    圧板
４５    圧板開閉検知スイッチ部材
４５ａ  圧板開閉検知センサ
５９    圧板開閉検知センサ
【図１】
0003609234.tif 000002
【図２】
0003609234.tif 000003
【図３】
0003609234.tif 000004
【図４】
0003609234.tif 000005
【図５】
0003609234.tif 000006
【図６】
0003609234.tif 000007
【図７】
0003609234.tif 000008